(57)【要約】【課題】  モルタル層の割れ、剥離や脱落などがなく、施工性に優れる。【解決手段】  建築物外壁の下地面２に設けられる板状の断熱材４と、この断熱材４の外側表面に設けられる細長板状の通気胴縁７ａ、７ｂと、この通気胴縁７ａ、７ｂの外側表面に固定される複合板１０とを備え、複合板１０は木質合板（符号１１）に軽量セメントモルタル層（符号１７）が設けられる。さらに、複合板１０に代えて、通気胴縁７ａ、７ｂの外側表面に固定される木質合板と、この木質合板の表面に設けられる軽量セメントモルタル層とを備え、この軽量セメントモルタル層は木質合板が通気胴縁７ａ、７ｂの外側表面に固定された後に設けられても良い。【選択図】              図１
2005336823.tif 000002
【特許請求の範囲】
【請求項１】
建築物外壁の下地面に設けられる板状の断熱材と、該断熱材の外側表面に設けられる細長板状の通気胴縁と、該通気胴縁の外側表面に固定される複合板とを備え、該複合板は木質合板の表面に無機質を主成分とするモルタル層が設けられてなる外断熱壁。
【請求項２】
建築物外壁の下地面に設けられる板状の断熱材と、該断熱材の外側表面に設けられる細長板状の通気胴縁と、該通気胴縁の外側表面に固定される木質合板と、該木質合板の表面に設けられる無機質を主成分とするモルタル層とを備え、該モルタル層は前記木質合板が前記通気胴縁の外側表面に固定された後に設けられてなる外断熱壁。
【発明の詳細な説明】
【技術分野】
【０００１】
本発明は、建築物外壁の下地面に断熱材を設ける外断熱壁に関する。
【背景技術】
【０００２】
従来の外断熱壁としては、たとえば建築物の外壁に自己消火性を有するフェノール系断熱材を配設した外側に、外通気可能な通気層が形成されるように防水紙および鉄網、若しくは防水紙付き鉄網を取付け、軽量セメントモルタルを塗着し、壁面全体の表面または内部、或いは壁面の一部の表面または内部に網材を押圧して埋設した後、仕上げ施工して形成されたものが知られている（特許文献１参照）。
【０００３】
また、別の外断熱壁として、建築物外壁の外面に断熱材を取り付けた後、この断熱材上からグラスメッシュ、溶融金網、ラスなどの網状物を具備したアンカーを建築物外壁に達するように打ち込み、さらに断熱材上に樹脂モルタルまたは樹脂セメントペーストの調整層を形成して下地調整を行い、この調整層上に網状物を塗り込むなどの方法で埋設するようにセメントモルタルなどを施して仕上げて下地層を形成するものが知られている（特許文献２参照）。
【特許文献１】特開２００２−２４２３２４号公報
【特許文献２】特公平６−１２０３２号公報
【発明の開示】
【発明が解決しようとする課題】
【０００４】
しかしながら、従来の外断熱壁は、いずれも網材ないし網状物（以下「網材」という。）をセメントモルタル層に埋設するので、セメントモルタル層の割れ、剥離や脱落などを極力防止することができるが、構造が複雑であるとともに、網材は一般的に幅１０００ｍｍ前後のものを壁全面に埋設するので補助作業者が必要になり、手間と時間がかかり施工性に劣るというおそれがあった。
【０００５】
本発明の目的は、モルタル層の割れ、剥離や脱落などがなく、施工性に優れる外断熱壁を提供することである。
【課題を解決するための手段】
【０００６】
上記目的を達成するため、本発明は、建築物外壁の下地面に設けられる板状の断熱材と、該断熱材の外側表面に設けられる細長板状の通気胴縁と、該通気胴縁の外側表面に固定される複合板とを備え、該複合板は木質合板の表面に無機質を主成分とするモルタル層が設けられてなることを特徴とする。
【０００７】
このようにすることにより、断熱材と複合板との間に、通気胴縁の厚みに相当する隙間が形成され、この隙間を通気のための通気路として利用することにより外壁内の結露を防ぎ、断熱、気密性能を向上させることができる。複合板は木質合板の表面にモルタル層を設けて形成されたものであるので、複合板の品質を安定させることができる。さらに、モルタルを現場で塗布する必要がなく、施工期間を短くすることができ施工性も向上する。
【０００８】
また、本発明は、建築物外壁の下地面に設けられる板状の断熱材と、該断熱材の外側表面に設けられる細長板状の通気胴縁と、該通気胴縁の外側表面に固定される木質合板と、該木質合板の表面に設けられるモルタル層とを備え、該モルタル層は前記木質合板が前記通気胴縁の外側表面に固定された後に設けられてなることを特徴とする。
【０００９】
このようにすることにより、断熱材と合板との間に、通気胴縁の厚みに相当する隙間が形成され、この隙間を通気のための通気路として利用することにより外壁内の結露を防ぎ、断熱、気密性能を向上させることができる。モルタル層は木質合板が通気胴縁の外側表面に固定された後に設けられるので、外壁の表面に目地が現れず、雨水などの水の浸入を防ぎ防水性を向上させる。
【００１０】
また、木質合板の継目（または目地）部分には網材ないし網状物（以下、「網材」という）を張ってモルタル層（目地材）を設けるが、この場合の網材は木質合板の継目部分の限られた面積部分に追加的に設けてモルタル層を設ければ良いので、手間がかからず施工性も向上する。
【００１１】
次に本発明を構成する各要件についてさらに詳しく説明する。本発明の外断熱壁は、外壁内に通気路を形成し、外壁内の結露を防止し、断熱性、気密性を向上させるものである。建築物外壁の下地面は、外壁の下地面であれば特に限定されないが、たとえば柱の外側に固定される構造用面材（または構造用合板）の外表面、構造用面材を設けない場合は柱の外表面などがこれに相当する。
【００１２】
断熱材は、板状で、その材質はポリスチレンフォーム、フェノールフォーム、グラスウールまたはロックウールなどである。断熱材の厚さは２０〜８０ｍｍのものを使用できる。断熱材を下地面に固定する場合、下地面と断熱材の間に防湿気密フィルムを介在させると良い。防湿気密フィルムを介在させることにより建物内への水蒸気の浸入を阻止し、湿気を防止する。
【００１３】
また、断熱材は通気胴縁により釘などの固定手段により固定されるが、接着剤、両面テープ、その他の固定手段により下地面に固定されても良い。防湿気密フィルムとしては、たとえば厚さ０．２ｍｍ以下とし、住宅用合成樹脂系防湿フィルムやポリエチレンフィルムを使用できる。
【００１４】
通気胴縁は、細長板状で断熱材を帯状に押えることができる形状に形成され、かつ通気に必要な隙間を形成できる厚みを有するものとされる。また、外壁の下地面に釘、木ねじなどの固定手段により固定できる強度のあるものとする。通気胴縁の材料としては木質系が好適で、その断面寸法は、たとえば幅４５〜９０ｍｍ×厚さ１５ｍｍ以上とすると良い。
【００１５】
通気胴縁で断熱材を固定する際、防水紙を介在させると良い。防水紙は、通気胴縁と断熱材の間だけでなく、断熱材の全面に沿うように設けると良い。防水紙としては、アスファルトフェルトやポリエチレン、ポリエステル、ポリプロピレンなどの透湿防水シートを使用すると良い。
【００１６】
複合板は、予め木質合板に無機質を主成分とするモルタル層、たとえばセメントに無機質混和剤と有機質混和剤を加えたものを層状に形成するもので、軽量セメントモルタル層が最適である。したがって複合板は、たとえば木質合板７．５〜１２ｍｍ厚に５〜２０ｍｍ厚の軽量セメントモルタル層を塗布などにより設けることにより形成される。複合板を固定するには釘、木ねじなどの固定手段により通気胴縁に固定する。また、木質合板とモルタル層の間に合成ゴムなどの防水層を設けると良い。防水層を設けることにより外側からの水の浸入を防止する。
【００１７】
さらに、防水層の表面に無機質を主成分とする凹凸層を設ける良い。凹凸層は無機質を主成分とするモルタル層の付着を良好にする。凹凸層の材料としては、セメントおよび骨材に若干の合成樹脂エマルジョンを加えたものを使用すると良い。
【００１８】
また、モルタル層は、予め木質合板にモルタル層を設ける際に１０ｍｍ以下の薄い層に形成しておき、現場でさらに追加的に無機質を主成分とするモルタルを塗り重ねて規定の厚さのモルタル層に仕上げても良い。
【００１９】
さらに、現場で木質合板の表面に無機質を主成分とするモルタル層を設ける場合、木質合板には予め先に記した防水層と凹凸層を設けておくと良い。防水層と凹凸層の構造については上記の通りである。
【００２０】
木質合板の継目の上にモルタル層を設ける場合、耐アルカリ性繊維などの網材を当ててモルタルを塗布する。この場合の網材の大きさは、幅が５０〜３００ｍｍのものを使用すると良い。幅が５０ｍｍ未満の場合は網材の補強効果が小さい。幅が３００ｍｍを超える場合は施工性（作業性）が悪くなる。木質合板に防水層と凹凸層を形成したものとしては、たとえば株式会社ノダ製の商品名：ラスカットが市販され、これを好適に使用できる。
【００２１】
さらに、複合板またはモルタル層を設ける木質合板を固定する通気胴縁は、桁、梁ないし土台のある箇所において、断熱材に相当する厚みを有する胴縁固定桟を介して上記桁、梁ないし土台に直接固定すると良い。こうすることにより断熱材の外側に設ける複合板やモルタル層を設ける木質合板を直接構造躯体に固定することができ、複合板やモルタル層を設ける木質合板の重量によるだれ、下がり（位置ずれ）などを防止できる。
【００２２】
また、本発明の外断熱壁は、複合板の表面または木質合板の表面に設けられるモルタル層の表面に、モルタルを介してまたは接着剤を介してタイルを張っても良い。タイルを張ることにより耐火性をさらに向上させることができるとともに、複合板またはモルタル層の表面とは異なる外観を有する壁を形成できる。
【発明の効果】
【００２３】
本発明によれば、モルタル層の割れ、剥離や脱落などがなく、施工性に優れる外断熱壁を形成できる。
【発明を実施するための最良の形態】
【００２４】
以下、本発明に係る外断熱壁の実施例を図面に基づいて詳細に説明する。なお、図１〜７において、同一または同等部分には同一符号を付けて示す。
【実施例１】
【００２５】
図１は、本発明に係る外断熱壁の実施例１を示す斜視図である。図２は、図１に示す実施例１において屋根部分を追加した状態の縦断面図である。図３は、図１に示す実施例１の要部横断面図である。図４は、図１に示す実施例１の要部縦断面図である。
【００２６】
図１に示すように、実施例１の外断熱壁は、建築物外壁１の下地面２に設けられるものである。建築物外壁１は、基礎２９の上に固定された土台３０と、この土台３０に連結された柱２０および間柱２２と、柱２０および間柱２２を水平方向に連結する桁３１（図２）および梁３２とを有する。
【００２７】
図２に示すように、柱２０および間柱２２の上部は、桁３１に連結されている。桁３１の上には、垂木６１が載り、垂木６１の上には野地板６２が張られる。垂木６１の先端は鼻かくし６３となっている。軒裏６５は、防火構造とされる。
【００２８】
建築物外壁の下地面２は、柱２０などに固定された構造用面材（または構造用合板）２４の外表面である。構造用面材２４は、柱２０、間柱２２、土台３０、桁３１および梁３２などの構造躯体の外側面に固定される。さらに、建築物外壁１は、上記構造躯体の内側面に固定された内装材２６を有する。構造用面材２４と内装材２６との間の空間には補強断熱材２８を設ける。
【００２９】
図１、２に示すように、外断熱壁は、外壁内に通気路８ａおよび通気路８ｂが形成され、これら通気路８ａ、８ｂに外気を導入し通過させることにより外壁内の結露を防止するとともに、断熱性、気密性を向上させる。さらに、通気胴縁は、縦方向（垂直方向）と横方向（水平方向）の両方に設けられるが、縦方向の通気胴縁７ａと横方向の通気胴縁７ｂとの間には幅狭の通気路８ｂが形成される。
【００３０】
さらに、外断熱壁は、建築物外壁の下地面２に設けられる板状の断熱材４と、この断熱材４の外側表面に設けられる細長板状の通気胴縁７ａ、７ｂと、この通気胴縁７ａ、７ｂの外側表面に固定される複合板１０とを備える。複合板１０は予め木質合板１１に無機質を主成分とするモルタル１８が設けられる。
【００３１】
複合板１０を固定する通気胴縁７ｂは、土台３０、桁３１ないし梁３２のある箇所において、断熱材４に相当する厚みを有する胴縁固定桟３６を設けて通気胴縁７ｂを上記土台３０、桁３１ないし梁３２に直接固定する。こうすることにより断熱材４の外側に設ける複合板１０を直接これら構造躯体に固定することができ、複合板１０の重量によるだれ、下がり（位置ずれ）を防止する。
【００３２】
図３に示すように、内装材２６は、柱２０の内側面に内装材固定用留付具５２により固定される。断熱材４は、板状で、その材料はポリスチレンフォーム、フェノールフォーム、グラスウールまたはロックウールなどで厚さは２０〜８０ｍｍの範囲から、外断熱壁の使用目的に合った厚さを選定する。断熱材４は、通気胴縁７ａ、７ｂにより釘などの通気胴縁固定用留付具４８により固定される。
【００３３】
断熱材４を構造用面材２４に固定する場合、構造用面材の下地面２と断熱材４との間にポリエチレンなどの防湿気密フィルム２５を介在させる。防湿気密フィルム２５としては、たとえば厚さ０．１ｍｍとする。防湿気密フィルム２５を介在させることにより壁体内への水蒸気の浸入を阻止する。
【００３４】
図３、４に示すように、通気胴縁７ａ、７ｂは、断面矩形の細長板状で通気に必要な隙間９を形成できる厚みを有するとともに、断熱材４を構造用面材の下地面２に釘、木ねじなどの通気胴縁固定用留付具４８により固定できる強度のあるものとする。
【００３５】
通気胴縁７の材料としては木質系である。その断面寸法は、たとえば幅４５〜９０ｍｍ×厚さ１５ｍｍ以上とする。なお、通気胴縁７で断熱材４を固定する際、防水紙６を介在させる。防水紙６は、通気胴縁７と断熱材４の間だけでなく、断熱材４の全面に設ける。防水紙６としては、アスファルトフェルトやポリエチレン、ポリエステル、ポリプロピレンなどの透湿防水シートを使用する。
【００３６】
複合板１０は、予め木質合板１１に無機質を主成分とするモルタル層、たとえば軽量セメントモルタル層１７を設けるもので、通気胴縁７ａ、７ｂに釘、木ねじなどの外装材固定用留付具４６により固定される。複合板１０の厚みは、たとえば木質合板１１が７．５ｍｍ厚、軽量セメントモルタル層１７が１０ｍｍ厚である。さらに、木質合板１１と軽量セメントモルタル層１７との間に予め合成ゴムなどの防水層１３を設けておく。防水層１３を設けておくことにより、外側からの水の浸入を防止する。
【００３７】
さらに、防水層１３の表面に無機質を主成分とする凹凸層１５を設ける。このようにすると、木質合板１１と軽量セメントモルタル層１７との間に防水層１３と凹凸層１５がこの順に形成されることになり、凹凸層１５は軽量セメントモルタル層１７の付着を良好にする。凹凸層１５の組成としてはセメントおよび骨材に若干の合成樹脂エマルジョンを加えたものである。
【００３８】
軽量セメントモルタル層１７の例としては、セメントに無機質混和剤と有機質混和剤を加えたものである。複合板１０としては、たとえば株式会社ノダ製の商品名：モルダックが市販され、これを好適に使用できる。因みに、図３に示すように、複合板１０の目地には目地処理材４０を塗布する。
【００３９】
図４に示すように、水平方向の通気胴縁７ｂを固定する通気胴縁固定用留付具４８は、構造用面材２４を貫通し継手受材３４に固定される。同様に、内装材２６を固定する内装材固定用留付具５２は内装材２６を貫通し継手受材３５に固定される。なお、複合板１０の表面に、モルタルまたは接着剤を介してタイルを張っても良い。
【００４０】
次に、実施例１の外断熱壁の作用について説明する。図２において、断熱材４と複合板１０との間に、通気胴縁７ａ、７ｂの厚みに相当する通気路８ａ、８ｂ（隙間９）が形成され、この通気路８ａ、８ｂにより外壁内の結露を防ぎ、断熱、気密性能を向上させることができる。複合板１０は、予め木質合板１１に軽量セメントモルタル１８を設けて形成されたものであるので、軽量セメントモルタル１８の割れ、剥離、脱落などがなく複合板１０の品質を安定させることができる。さらに、軽量セメントモルタル１８を現場で塗布する必要がなく、施工期間を短くすることができ施工性も向上する。
【実施例２】
【００４１】
図５は、本発明に係る外断熱壁の実施例２を示す要部横断面図である。実施例２の外断熱壁は、通気胴縁７ａ（７ｂ）の外側表面に固定される木質合板１１と、この木質合板１１の表面に設けられる軽量セメントモルタル層１７とを備える。軽量セメントモルタル層１７は木質合板１１が通気胴縁７ａ（７ｂ）の外側表面に固定された後に設けられる。木質合板１１の表面には合成ゴムなどの防水層１３と、無機質を主成分とする凹凸層１５とが形成されている。
【００４２】
防水層１３を設けることにより、外側からの水の浸入を防止する。凹凸層１５は軽量セメントモルタル層１７の付着を良好にする。凹凸層１５の組成としてはセメントおよび骨材に若干の合成樹脂エマルジョンを加えたものである。木質合板１１に防水層と凹凸層を形成したものとしては、たとえば株式会社ノダ製の商品名：ラスカットが市販され、これを好適に使用できる。
【００４３】
また、木質合板の継目（または目地）部分には耐アルカリ性繊維などの網材（または目地補強材）４２を張ってモルタル層を設けるが、この場合の網材４２は木質合板の継目部分の限られた面積部分に追加的に設けてモルタル層を設ければ良いので、手間がかからず施工性も向上する。継目に設ける網材４２の大きさは、幅が５０〜３００ｍｍのものを使用すると良い。幅が５０ｍｍ未満の場合は網材の補強効果が小さい。幅が３００ｍｍを超える場合は施工性（作業性）が悪くなる。
【００４４】
また、予め木質合板１１に軽量セメントモルタル層１７を設ける際に１０ｍｍ以下に薄く形成しておき、現場でさらに追加的に軽量セメントモルタルを塗り重ねて規定の厚さの軽量セメントモルタル層に仕上げても良い。さらに、木質合板１１の表面に設けられるモルタル層の表面に、モルタルまたは接着剤を介してタイルを張っても良い。
【００４５】
実施例２の外断熱壁の作用は、次のようである。すなわち、断熱材４と木質合板１１との間に、通気胴縁７ａ（７ｂ）の厚みに相当する通気路８ａ（８ｂ）または隙間９が形成され、この通気路８ａ（８ｂ）を利用することにより外壁内の結露を防ぎ、断熱、気密性能を向上させることができる。
【００４６】
軽量セメントモルタル層１７は木質合板１１が通気胴縁７ａ（７ｂ）の外側表面に固定された後に設けられるので、外壁の表面に目地が現れず、雨水などの水の浸入を防ぎ防水性を向上させる。また、目地を目地処理材４０で埋める手間がかからず施工性も向上する。図５に示した実施例２の外断熱壁のその他の構造と作用は、図１〜４に示した実施例１の外断熱壁と同じであるのでその説明を省略する。
【実施例３】
【００４７】
図６は、本発明に係る外断熱壁の実施例３を示す要部横断面図である。実施例３の外断熱壁は、その内装材２６が柱２０の奥行き方向の途中に設けられる真壁造りの場合である。内装材２６は、柱２０（または間柱２２）に固定された受材３５に釘などの内装材固定用留付具５２により固定される。図６におけるその他の構造と作用は、図１〜４に示した実施例１の外断熱壁と同じであるのでその説明を省略する。
【実施例４】
【００４８】
図７は、本発明に係る外断熱壁の実施例４を示す要部横断面図である。実施例４の外断熱壁は、その内装材２６が柱２０の奥行き方向の途中に設けらる真壁造りの場合である。内装材２６は、その端部２７が柱２０（または間柱２２）に形成された欠き込み２１に挿入されることにより固定される。この際、内装材の端部２７は、接着剤が併用されて固定されても良い。図７におけるその他の構造と作用は、図１〜４に示した実施例１の外断熱壁と同じであるのでその説明を省略する。
【００４９】
以上この発明を図示の実施例について詳しく説明したが、それを以ってこの発明をそれらの実施例のみに限定するものではなく、この発明の精神を逸脱せずして種々改変を加えて多種多様の変形をなし得ることは云うまでもない。
【産業上の利用可能性】
【００５０】
本発明の外断熱壁は、住宅、事務所その他の建築建物の外壁に利用可能である。
【図面の簡単な説明】
【００５１】
【図１】本発明に係る外断熱壁の実施例１を示す斜視図である。
【図２】図１に示す実施例１において屋根部分を追加した状態の縦断面図である。
【図３】図１に示す実施例１の要部横断面図である。
【図４】図１に示す実施例１の要部縦断面図である。
【図５】本発明に係る外断熱壁の実施例２を示す要部横断面図である。
【図６】本発明に係る外断熱壁の実施例３を示す要部横断面図である。
【図７】本発明に係る外断熱壁の実施例４を示す要部横断面図である。
【符号の説明】
【００５２】
１  建築物外壁
２  下地面
４  断熱材
５  外側表面
７ａ、７ｂ  通気胴縁
８ａ、８ｂ  通気路
９  隙間
１０  複合板
１１  木質合板
１７  軽量セメントモルタル層（モルタル層）
【図１】
2005336823.tif 000003
【図２】
2005336823.tif 000004
【図３】
2005336823.tif 000005
【図４】
2005336823.tif 000006
【図５】
2005336823.tif 000007
【図６】
2005336823.tif 000008
【図７】
2005336823.tif 000009